(57)【特許請求の範囲】
【請求項１】
回転ディスク(110)によってコイン(C)を一つずつ案内装置(112)に送り出し、前記案内装置(112)により前記送り出されたコイン(C)を一列に整列して上方に案内するようにし、前記回転ディスク(110)に隣接して前記回転ディスク(110)から送り出された前記コイン(C)を受部(152)で受け止めて前記コイン(C)の逆行を防止する逆行防止装置(150)を設けたコイン送り出し装置において、
前記逆行防止装置(150)は、前記受部(152)が前記コイン(C)の進行方向に対し上向きに傾斜、かつ、前記コイン(C)のコイン通路(136)に進出するよう付勢された押動傾斜部(154)を有し、前記押動傾斜部(154)は前記回転ディスク(110)によって押動された前記コイン(C)を前記付勢によって更に移動させて前記回転ディスク(110)の回転域(k)外に前記コイン(C)を保持することを特徴とするコイン送り出し装置におけるコイン逆行防止装置。
【発明の詳細な説明】
【技術分野】
【０００１】
本発明は、周面が接触した状態で一列に整列したコインを案内するコイン送り出し装置のコイン逆行防止装置に関する。
特に、回転ディスクによって所定の位置まで送り出されたコインが重力によって落下して逆行し、次に送り出されるコインまたは回転ディスクに衝突することにより発する騒音を防止するコイン逆行防止装置に関する。
さらに詳しくは、回転ディスクの送り腕によって所定位置に送り出されたコインの逆行を逆行防止装置により防止してコイン落下による騒音が発生しないようにしたコインの逆行防止装置に関する。
なお、本明細書で使用する「コイン」は、通貨であるコイン、ゲーム機のトークン及びそれらと類似のものを包含する。
【背景技術】
【０００２】
本出願人は、回転ディスクによって送り出したコインが重力によって落下し、当該送り出されたコインが回転ディスクに衝突することによるカチャカチャ音の発生を低減するため、回転ディスクによってコインを一つずつ案内装置に送り出し、前記案内装置により前記送り出されたコインを一列に整列して上方に案内するようにしたコイン送り出し装置において、前記回転ディスクに隣接して前記回転ディスクから送り出されたコインに作用する逆行防止装置を設け、前記逆行防止装置は、自由端が前記回転ディスクによって送り出されるコインのコイン通路に位置し、かつ、移動するコインによって前記コイン通路から外れるようピボット運動可能なワンウエイストッパを含んでいることを特徴とするコイン逆行防止装置を提案した(例えば、特許文献１)。
【０００３】
【特許文献１】特開2006-344175号(図1―５、第３―７頁)
【発明の開示】
【発明が解決しようとする課題】
【０００４】
上記装置は、回転ディスクによってワンウエイストッパの先端を通過するまでコインが送り出された後、回転ディスクがコインから外れるので、回転ディスクによる支持が外れた後、重力によりコインがワンウエイストッパに係止されるまで僅かに逆行した位置で保持される。
この位置は、回転ディスクの回転域である。
回転ディスクが常時回転されている場合、コインが送り出されなくとも回転ディスクは回転する。
このため、回転ディスクは毎回、回転域に存するコインの一部に衝突してコインを再度回転域外へ移動させ、回転ディスクがコインから外れた時は再びコインが逆行してワンウエイストッパに係止されることを繰り返す。
回転ディスクは所定の速度で回転するため、コインと衝突した際、カチャカチャ音が発生する。
【０００５】
この問題を図6〜図8を参照して詳細に説明する。
図6において、コイン送り出し装置100は、フレーム102と、フレーム102に固定され、かつ、コインCを貯留する筒形のヘッド104と、ヘッド104の円形の底孔を形成するリング106と、リング106の底部において傾斜配置されたコインCの送り出し用の第１回転ディスク108、第２回転ディスク110、コイン案内装置112及びコイン逆行防止装置115を有する。
【０００６】
図7に示すように、第１回転ディスク108の通孔114に落下したコインは、下流側ほど上向きのスライドベース116に支持されつつ回転ディスク108下面の押出突条(図示せず)によって押されて図7において反時計方向に回動され、当該回転ディスク108によって連れ回りされるコインCがガイド118によって回転ディスク108の周方向へ案内される。
【０００７】
第２回転ディスク110は、等間隔に５個の突起状の押出体120を有する星形をしており、第１回転ディスク108と同期して図7において時計方向に回転する。
第２回転ディスク110の機能は、第１回転ディスク108から前記のように一個ずつ送り出されるコインCをその押出体120により受け取って、案内体121の弧状の案内面122に沿わせて一個ずつ移送する。
【０００８】
ゲート装置124は、コインCの進行方向に対し直交方向に延びる案内溝(図示せず)にスライド可能に挿入された支軸126に下向きテーパを有するローラ128が回転自在に取り付けられ、かつ、支軸126は、固定ピン130との間に引っかけられたスプリング132によりコイン通路136を狭めるよう付勢されている。
通常、支軸126は案内溝(図示せず)の端部に係止され、案内面122とローラ128の周面との距離がコインCの直径よりも小さい位置において静止している。
【０００９】
コインCがゲート装置124を通過する場合、ローラ128はコインによって案内溝(図示せず)に沿って移動され、コインCの最大直径部が通過した後、スプリング132によって案内面122に近づくよう移動され、前記位置に静止する。
したがって、ゲート装置124を通過したコインCは、その自重によって滑り落ち、第２回転ディスク110側へ戻ろうとしてもローラ128と案内面122との距離がコイン直径よりも小さいので、それらによって停止され、戻ることができない。
【００１０】
次に逆行防止装置115を説明する。
逆行防止装置115は、棒状のワンウエイストッパ134である。
ワンウエイストッパ134は、断面チャンネル形に板金加工により形成され、第２回転ディスク110の側方のコイン通路136の上方においてピボット軸138にピボット運動可能に取り付けられ、他端部は自由端140である。
自由端140は、通常はコイン通路136におけるスライドベース116に自己モーメントにより接触し、保持されている。
【００１１】
この従来装置において、通常状態においてワンウエイストッパ134は、自重による自己モーメントによって図8において反時計方向に回動し、先端下面がスライドベース116の上面に面接触した状態で静止している。
第２回転ディスク110によって次のコインCが押し上げられない場合、ゲート装置124を通過していないコインCは、自重でコイン通路136を逆行し、自由端140に係止され、第１回転ディスク108側に戻ることはない。
【００１２】
次のコインCが第2回転ディスク110の回転により、押動体120によって案内面122に沿って移動された場合、ワンウエイストッパ134の傾斜部142はコインCによって押されて図8において時計方向へ回動され、コインCは図8において左方へ進行し、押動体120の先端によって第2回転ディスク110の回転域k外の位置P1まで押し上げられる。
押し上げられたコインCよりも前のコインCは、当該コインCによって押し上げられてゲート装置124を通過する。
第２回転ディスク110がさらに回転すると押動体120がコインCから外れるため、押し上げられたコインCは回転域k外の第１位置P1から、自重によって落下し、ワンウエイストッパ134によって係止された回転域k内の第２位置P2において静止する。
結果として、コインCが第１回転ディスク108から送り出されない場合、押動体120がワンウエイストッパ134に係止されているコインCと衝突する。
第２回転ディスク110は比較的高速で回転していることから、押動体120がコインCと衝突した際、「カチャ」という衝突音を発し、それが連続した場合、「カチャ、カチャ、カチャ・・・」の連続音となり、騒音になる。
【課題を解決するための手段】
【００１３】
本発明の第１の目的は、回転ディスクから送り出されたコインの回転ディスクの回転域内への逆行を防止することにより、騒音の発生を防止することである。
本発明の第２の目的は、簡単に後付けできるコインの逆行防止装置を提供することを目的とする。
本発明の第３の目的は、耐久性があり、かつ、安価なコインの逆行防止装置を提供することを目的とする。
【００１４】
この目的を達成するため、請求項１の発明は以下のように構成される。
回転ディスクによってコインを一つずつ案内装置に送り出し、前記案内装置により前記送り出されたコインを一列に整列して上方に案内するようにし、前記回転ディスクに隣接して前記回転ディスクから送り出された前記コインを受部で受け止めて前記コインの逆行を防止する逆行防止装置を設けたコイン送り出し装置において、前記逆行防止装置は、前記受部が前記コインの進行方向に対し上向きに傾斜、かつ、前記コインのコイン通路に進出するよう付勢された押動傾斜部を有し、前記押動傾斜部は前記回転ディスクによって押動された前記コインを前記付勢によって更に移動させて前記回転ディスクの回転域外に前記コインを保持することを特徴とするコイン送り出し装置におけるコイン逆行防止装置である。
【００１５】
本発明の第1の好ましい実施態様は、請求項１のコイン送り出し装置におけるコイン逆行防止装置において、前記逆行防止装置は、前記コイン通路の上方に配置されたピボット軸に一端が回動可能に支持され、他端がコイン通路に対し上向きに傾斜する押動傾斜部を有し、さらに、前記押動傾斜部が前記コイン通路に対し進行するよう付勢されたレバーであることを特徴とする。
【００１６】
本発明の第2の好ましい実施態様は、本発明の第1の好ましい実施態様のコイン送り出し装置におけるコイン逆行防止装置において、前記押動傾斜部はレバーに取付けられたローラの周面であることを特徴とする。
【００１７】
本発明の第3の好ましい実施態様は、請求項１又は本発明の第1の好ましい実施態様のコイン送り出し装置におけるコイン逆行防止装置において、前記押動傾斜部は前記回転ディスクによる送り出し後、コインを送り出し方向へ移動させること可能に前記付勢力が設定されていることを特徴とする。
【００１８】
本発明の第4の好ましい実施態様は、コインが落下する通孔と落下したコインを押動する押出部を有する第１回転ディスクと、前記回転ディスクの前記押出部によって押し出されたコインを受け取り、かつ、連れ回りする第２回転ディスクと、前記落下したコイン及び前記第２回転ディスクにより連れ回りされるコインを案内するスライドベースと、前記コイン通路の上方に配置されたピボット軸に一端を回動可能に取り付けられたレバーであり、前記レバーの他端に回転自在なローラを取付け、付勢手段によて前記ローラが前記コイン通路に対し進行するよう付勢されてコイン通路に位置することを特徴とするコイン送り出し装置におけるコイン逆行防止装置である。
【発明の効果】
【００１９】
請求項１の発明において、コインは回転ディスクによって一個ずつ区分けされ、コイン通路を経由して案内装置へ送り出される。
案内装置において、コインは周面を接して一列に整列され、後位のコインが前位のコインを押すことによって上方へ案内されて後、払い出される。
回転ディスクは、コインを一枚ずつコイン通路を移動させる。
移動されるコインは逆行防止装置の受部を押し上げる。
一枚のコインが通過した場合、押し上げられた受部は付勢手段によってコイン通路に進出する方向に付勢される。
これにより、回転ディスクによって押動されたコインは受部の上向きの押動傾斜部により戻り動が阻止される。
これにより回転ディスクによって押されなくなったコインは回転ディスクの回転域外に押動傾斜部によって保持される。
すなわち、所定の速度で回転している回転ディスクは、押動傾斜部に保持されているコインと衝突することがない。
よって、衝突による騒音が発生しない利点がある。
【００２０】
本発明の第1の好ましい実施態様において、回転ディスクによって移動されるコインはレバーの先端を押し上げてピボット軸を支点にピボット運動させ、受部の下方を通過する。
コインが受部の下方を通過した場合、レバーは付勢手段の付勢力によってコイン通路に進行する。
これにより、コインは押動傾斜部によって回転ディスクの回転域外に保持される。
よって、回転ディスクが連続回転してもコインに衝突することがないので騒音を発することがない。
また、逆行防止装置は先端に押動傾斜部を形成したピボット運動可能なレバーと付勢手段によって構成されるので、簡単な装置により達成でき、かつ、安価である利点を有する。
【００２１】
本発明の第2の好ましい実施態様において、回転ディスクによって移動される一枚のコインはローラのコインの進行方向に対して上流側の下部円弧周面を押し上げてレバーをピボット軸を支点にピボット運動させ、その下方を通過する。
この通過の際、ローラは回転することから、コインの進行に対して大きな抵抗にならない。
コインが通過した場合、ローラは付勢力によりコイン通路に進行する。
これにより、コインはローラのコインの進行方向に対して下流側の下部円弧周面たる押動傾斜部によって押されて回転ディスクの回転域外に保持される。
よって、回転ディスクが回転してもコインに衝突しないので騒音を発することがない利点を有する。
【００２２】
本発明の第3の好ましい実施態様において、コインが通過した後、押動傾斜部はコイン通路に進出する。
換言すれば、回転ディスクによって押動されたコインは押動傾斜部によって更に回転ディスクから離れるよう移動される。
これにより、回転ディスクによって押動されたコインは回転ディスクから更に離れるので、押動傾斜部に衝突することは一層生ぜず、カチャカチャ音を確実に解消できる利点がある。
【００２３】
本発明の第4の好ましい実施態様において、コインは周面を接して一列に整列され、後位のコインが前位のコインを押すことによって上方へ案内されて後、払い出される。
そして、第２回転ディスクよって押動され、コイン通路を移動する一枚のコインは、ピボット軸を支点にレバーをピボット運動させ、先端のローラを押し上げる。
一枚のコインが通過した場合、ローラは付勢手段によりコイン通路へ向けて所定の力で移動される。
これにより、第２回転ディスクによって押動されたコインの周面にローラの周面の押動傾斜部が所定の力で押し付けられるので、コインはコインの移動方向へさらに押動される。
換言すれば、第２回転ディスクによって送り出されたコインは、ローラによって更に押動されて第２回転ディスクからより一層、離される。
これにより、第２回転ディスクが連続回転した場合であっても、回転ディスクはローラに係止されているコインに衝突しないので、騒音が発生しない利点がある。
【発明を実施するための最良の形態】
【００２４】
本発明の最良の形態は、コインが落下する通孔と落下したコインを押動する押出部を有する第１回転ディスクと、前記回転ディスクの前記押出部によって押し出されたコインを受け取り、かつ、連れ回りされる第２回転ディスクと、前記落下したコイン及び前記第２回転ディスクにより連れ回りされるコインを案内するスライドベースと、前記コイン通路の上方に配置されたピボット軸に回動可能に取り付けられたレバーであり、前記レバーの他端に回転自在なローラを取付け、前記ローラが前記コイン通路に対し進行するよう付勢されてコイン通路に位置することを特徴とするコイン送り出し装置におけるコイン逆行防止装置である。
【実施例１】
【００２５】
図１は、本発明の実施例１の逆行防止装置を装着したコイン送り出し装置の斜視図である。
図２は、本発明の実施例１の逆行防止装置の部分拡大正面図及びX―X断面図である。
図3は、本発明の実施例１の逆行防止装置の部分拡大正面図及びY―Y断面図である。
図4は、本発明の実施例１の逆行防止装置の部分拡大正面図及びZ―Z断面図である。
【００２６】
従来例と同一部には同一符号を付し、異なる構成を説明する。
実施例１の逆行防止装置150を図2を主に参照して説明する。
逆行防止装置150は、第２回転ディスク110によって送り出されたコインCに係合し、第２回転ディスク110側への逆行を阻止する機能を少なくとも有する。
更に、逆行防止装置150は第２回転ディスク110によって送り出されたコインCを第２回転ディスク110からさらに遠ざける機能を有していることが好ましい。
【００２７】
逆行防止装置150は、コイン通路136に進行するよう付勢された受部152を含んでいる。
受部152は、コイン通路136におけるコインCの進行方向下流に向かって上向きに傾斜する押動傾斜部154を有している。
具体的には、受部152はピボット軸156に回動自在に支持されたレバー158の他端に回転自在に支持されたローラ162のコインCの進行方向下流側下向き周面164が押動傾斜部154である。
【００２８】
ピボット軸156は、アングルブラケット166の垂立部に横向きに固定され、平面視コイン通路136を横断する。
アングルブラケット166は、ガイド板164(図１参照)を介して案内面122を画定する案内体121に、長孔167を介して固定されている。
ガイド板164は、スライドベース116と平行にコインCの厚みの2倍以下の間隔で平行に配置され、コイン通路136の上側を画定している。
【００２９】
レバー158は、付勢手段168であるスプリング172によって自由端がコイン通路136に進出するよう所定の力で付勢されている。
この付勢により、コインCが存在しない場合、ローラ162はスライドベース116に所定の力で接触し、静止される。
付勢手段168は、少なくとも、第２回転ディスク110によって押し上げられたコインCの第１位置P1、換言すれば、第２回転ディスク110の回転域kの外側に保持される力で付勢する。
好ましくは、ローラ162がコイン通路136を横断し、ローラ162の周面176によりコインCを押し上げ、ローラ162がスライドベース116に当接する付勢力に設定する。
コインCを第２回転ディスク110から更に遠ざけることにより、より一層第２回転ディスク110とコインCとの衝突を防止出来るからである。
【００３０】
ローラ162は、レバー158の自由端に支軸174によって回転自在に支持されている。
ローラ162のコインCの進行方向の下流側の周面164は、スライドベース116に対してのコインCの進行方向に向かって上向きに傾斜し、押動傾斜部154を構成する。
ローラ162がスライドベース116に接触した場合、押動傾斜部154に接触するコインCの下端は、第２回転ディスク110の回転域kの外側に位置するよう設定される。
詳述すれば、付勢手段168の付勢力によって押動傾斜部154から受ける分力によってコインCの下端が僅かに押し上げられるように設定されている。
長孔167によってアングルブラケット166、換言すれば、ローラ162の位置を調整し、ローラ162がスライドベース116に接触している場合、第２回転ディスク110の回転域kから僅かに離れた第3位置P3に保持されるよう設定する。
【００３１】
ローラ162のコインCの上流側周面も上流側に向かって傾斜する押上斜面178に形成されているので、コイン通路136を進行するコインCによって、受部152は押し上げられる。
受部152をローラ162によって構成した場合、ローラ162は円筒形であるから、そのコインCの進行方向下流側のスライドベース116側の周面は、必然的に押動傾斜部154になり、上流側の周面は必然的に押上斜面178になる。
ローラ162の直径は、コインCの厚みの２倍乃至6倍の範囲が好ましい。
押動傾斜部154であるローラ162の下流側周面164がコインCを押し上げる分力を効率的に伝達できる45度前後の角度をなすからである。
【００３２】
次に実施例１の作用を説明する。
第１回転ディスク108の図2における反時計方向への回転によってホッパヘッド下部のリング106内のコインCは通孔114に落下し、ガイド118によって周方向へ案内されて一つずつコイン通路136へ案内される。
コインCはガイド118によって案内されている途中に第2回転ディスク110の押出体120によって押動されるようになり、コインCはその下面がスライドベース116の上面により、周面は案内面122によって案内されつつコイン通路136を進行する。
【００３３】
コインCがコイン通路136を進行中、その進行前端がローラ162の上流側下向き斜面である押上斜面178を押した場合、ローラ162は押上斜面178に作用する上向きの分力を受ける。
これにより、レバー158は図2において時計方向へ回動されるので、ローラ162はスライドベース116から引き離される。
コインCはローラ162によってスライドベース116に押し付けられつつゲート装置124へ向かって進行する(図2参照)。
【００３４】
コインCがゲート装置124のローラ128に接触する直前にコインCの上流側周縁がローラ162の下端を通過し、第2回転ディスク110の押動体120の回転域ｋを外れる(図3参照)。
これによりローラ162はプリング132の付勢力によって図3(B)において反時計方向へ付勢されているので、押動傾斜部154がコインCの周縁をスライドベース116に押し付ける。
これにより、コインCは押動傾斜部154から受ける分力によってローラ162がスライドベース116に接触するまでコインCの進行方向Dに向かって押される。
換言すれば、第２回転ディスク110によって押動されなくなった後も、コインCはコイン通路136をコインCの進行方向Dに向かって僅かに移動され、第３位置P3に保持される(図4参照)。
このとき、コインCの外周はローラ128、案内面122及びローラ162の三点において支持され、回転ディスク110の回転域ｋの外に保持される。
次のコインCが押動体120によって移動されない場合、最後のコインCは前記回転域ｋ外の第３位置P3に保持されるので、第２回転ディスク110が連続的に回転しても当該コインCとは接触せず、カチャカチャ音が発生することはない。
【００３５】
コインCが押出体120によって連続的に送り出される場合、ローラ162がスライドベース116に接触する前に、後続のコインCによって押上斜面178が押されるので、前述のようにローラ162が押し上げられ、コインCが連続的に通過する。
本実施例１において、受部152はローラ162によって構成されていることから、コインCに対しては転がり接触するのでコインCの進行抵抗が小さく、第1回転ディスク108、第２回転ディスク110の駆動エネルギを減少できる利点がある。
また、ローラは市販の普及品を使用できるので、安価に構成できる利点がある。
さらに、ローラ162とレバ158、付勢手段168よりなる逆行防止装置150を付加すればよいので、従来装置に容易に取り付けできる利点がある。
【００３６】
なお、実施例１において、ゲート装置124を設けないことができる。
この場合、コインCが回転域ｋに逆戻りしないよう戻り防止手段を配置する必要がある。
また、付勢手段168は、少なくともコインCが第２回転ディスク110によって押動された第1位置P1を保持できる付勢力であればよい。
【実施例２】
【００３７】
次に実施例２を説明する。
図5は本発明の実施例２の概略図である。
実施例１と同一部には同一符号を付して説明を省略し、異なる構成を説明する。
受部152は、スライドベース116に対しコインCの厚みの二倍以下の間隔で配置したガイド体180にスライドベース116に対し直角方向に延びるスライド孔182にスライド可能に挿入されたスライダ184の下端に形成されている。
スライダ184の下端は、Ｖ字形に形成され、コインCの進行方向Dに対し上流側が押上斜面186、下流側が押動傾斜部188になっている。
スライダ184は、付勢手段168としてのスプリング192によってスライドベース116に向けてコイン通路136を横断するよう所定の力で付勢されている。
【００３８】
次に実施例２の作用を説明する。
コインCが第２回転ディスク110の押出体120に押されてスライダ184に達した場合、コインCの先端は押上斜面186を押すので、押上斜面186に生じる上向きの分力により、スライダ184は上方へ押し上げられる。
これにより、コインCはスライダ184の下端とスライドベース116との間に進入して通過する。
コインCの後端がスライダ184の下端を通過すると、スライダ184はスプリング192の付勢力によってベースプレート116に向けて押される。
これにより、コインCは押動傾斜部188によって押され、コインCの進行方向Dへ向かって押動される。
コインCは実施例１と同様に第２回転ディスク110の回転域ｋの外側の第３位置P3に更に押動され、保持される。
したがって、実施例１と同様に第２回転ディスク110が連続回転し、コインCを送り出さない場合であっても、第２回転ディスク110はコインCと衝突しないので、カチャカチャ音を生じない。
【００３９】
なお、本発明は、第２回転ディスク110を設けず、第１回転ディスク108のみでコインCを送り出す送り出し装置にも適用できる。
【図面の簡単な説明】
【００４０】
【図１】図１は、本発明の実施例１の逆行防止装置を装着したコイン送り出し装置の斜視図である。
【図２】図２は、本発明の実施例１の逆行防止装置の部分拡大正面図及びX―X断面図である。
【図３】図3は、本発明の実施例１の逆行防止装置の部分拡大正面図及びY―Y断面図である。
【図４】図4は、本発明の実施例１の逆行防止装置の部分拡大正面図及びZ―Z断面図である。
【図５】図5は本発明の実施例２の概略図である。
【図６】図6は、従来のコイン送り出し装置の全体斜視図である。
【図７】図7は、従来のコイン送り出し装置の正面図である。
【図８】図8は、図7におけるＡ−Ａ線断面図である。
【符号の説明】
【００４１】
C  コイン
k  回転域
108  第１回転ディスク
110  第２回転ディスク
112  案内装置
114  通孔
116  スライドベース
150  逆行防止装置
136  コイン通路
154  押動傾斜部
152  受部
156  ピボット軸
158  レバー
162  ローラ
【図１】
0005119468.tif 000002
【図２】
0005119468.tif 000003
【図３】
0005119468.tif 000004
【図４】
0005119468.tif 000005
【図５】
0005119468.tif 000006
【図６】
0005119468.tif 000007
【図７】
0005119468.tif 000008
【図８】
0005119468.tif 000009